(57)【要約】【課題】ファンの接続忘れをより効果的に防止することが可能な表示装置の提供を目的とする。【解決手段】筺体内部にファンを備える表示装置において、ファンに対して電源を供給するための電源回路と、電源回路とファンとの間を着脱可能に接続することで電源回路からファンとの間の導通状態を維持するコネクターと、ファンがコネクターと接続して導通状態を維持する場合に、導通状態が維持されていることを示す第一検出信号を出力する導通検出部と、電源回路と接続し、同電源回路から供給される電源電圧に基づいて第二検出信号を生成するとともに、第一検出信号が出力されている場合は、第二検出信号を出力しない検出信号出力部と、第二検出信号が入力されない場合は、ファンがコネクターに接続されていると判断し、第二検出信号が入力される場合は、ファンがコネクターに接続されていないと判断することで、電源回路に対して電力の供給を停止させる供給制御部と、を有する。【選択図】図１
2010267311.tif 000002
【特許請求の範囲】
【請求項１】
筺体内部にファンを備える表示装置において、
前記ファンに対して電源を供給するための電源回路と、
前記電源回路と前記ファンとの間を着脱可能に接続することで前記電源回路から前記ファンとの間の導通状態を維持するコネクターと、
前記ファンが前記コネクターと接続して導通状態を維持する場合に、導通状態が維持されていることを示す第一検出信号を出力する導通検出部と、
前記電源回路と接続し、同電源回路から供給される電源電圧に基づいて第二検出信号を生成するとともに、前記第一検出信号が出力されている場合は、前記第二検出信号を出力しない検出信号出力部と、
前記第二検出信号が入力される場合は、前記ファンが前記コネクターに接続されていないと判断することで、前記電源回路に対して電力の供給を停止させる供給制御部と、を有することを特徴とする表示装置。
【請求項２】
前記コネクター及び前記ファンは複数存在し、
前記導通検出部は、各コネクターとファンの組合せごとに存在し、
前記検出信号出力部は、前記ファン毎に出力される第一検出信号を検出し、少なくとも１つの前記ファンが前記コネクターに接続されていない場合は、前記第二検出信号を出力するオア回路を有することを特徴とする請求項１に記載の表示装置。
【請求項３】
前記供給制御部は、前記導通検出部から出力される第一検出信号の電圧値に応じて接続されてないファンを判断することを特徴とする請求項２に記載の表示装置。
【請求項４】
前記検出信号出力部は、前記電源回路とコレクターを通じて接続し、前記導通検出部とベースを通じて接続し、エミッターが接地されたトランジスターを有することを特徴とする請求項１〜請求項３のいずれか一項に記載の表示装置。
【請求項５】
前記導通検出部は、前記コネクターのグランド端子側に接続される抵抗により構成され、前記ファンが導通を維持する場合に、同抵抗が生じさせる起電力により第一検出信号を生成することを特徴とする請求項１〜請求項４のいずれか一項に記載の表示装置。
【請求項６】
メディアに対してデーターを録画及び再生する録画再生部と、
前記録画再生部を覆うサブ筺体と、を有し、
前記ファンは、前記サブ筺体に収容されることを特徴とする請求項１〜請求項５のいずれか一項に記載の表示装置。
【請求項７】
筺体内部に複数のファンを備える表示装置において、
前記ファンに対して電源を供給するための電源回路と、
前記電源回路と前記複数のファンとの間を着脱可能に接続することで前記電源回路から前記各ファンとの間の導通状態を維持する複数のコネクターと、
前記コネクターのグランド端子側に接続される抵抗により構成され、前記ファンが前記コネクターと接続して導通状態を維持する場合に、起電力を生じさせることにより導通状態が維持されていることを示す第一検出信号を出力する導通検出部と、
前記電源回路と接続し、同電源回路から供給される電源電圧に基づいて第二検出信号を生成するとともに、前記ファン毎に出力される第一検出信号を検出し、少なくとも１つの前記ファンが前記コネクターに接続されていない場合は、前記第二検出信号を出力するオア回路を備える検出信号出力部と、
前記第二検出信号が入力されない場合は、前記ファンが前記コネクターに接続されていると判断し、前記電源回路に対して電力の供給を維持させ、前記第二検出信号が入力される場合は、前記ファンが前記コネクターに接続されていないと判断することで、前記電源回路に対して電力の供給を停止させる供給制御部と、
メディアに対してデーターを録画及び再生する録画再生部と、
前記録画再生部を覆うサブ筺体と、を有し、
前記ファンは、前記サブ筺体に収容されている、ことを特徴とする表示装置。
【発明の詳細な説明】
【技術分野】
【０００１】
本発明は、筺体内にファンを備える表示装置に関し、特に、このファンの接続忘れを検出することが可能な表示装置に関する。
【背景技術】
【０００２】
従来、筺体内部に冷却用のファンを備える装置が知られている。上記したファンは、例えば、筺体内部の温度上昇を抑制するために使用される。また、このようなファンは、電源回路にコネクター等を介して接続される。
【０００３】
また、筺体内部で電源回路に接続されたファンに対して、このファンの接続忘れを検出する装置が知られている（例えば、特許文献１−３参照。）。ファンが筺体内部に収容される場合、当然外部からファンの接続忘れを検出することは極めて難しいため、上記した従来技術では、ファンの接続の有無を電気的に検出することでファンの接続忘れを検出している。
【先行技術文献】
【特許文献】
【０００４】
【特許文献１】特開２００３−０４７２８８号公報
【特許文献２】特開２００２−２９７００１号公報
【特許文献３】特開平０２−１６８８８０号公報
【発明の概要】
【発明が解決しようとする課題】
【０００５】
ファンの接続忘れを防止する従来の技術では、ファンの接続忘れを信号の出力や画面上の表示により警告するため、作業者がこの警告を見損なう場合があった。また、ファンが接続されていない場合でも、製品としては機能するため、製品完成後にファンの接続忘れを発見することが難しかった。
【０００６】
本発明は、上記課題にかんがみてなされたもので、ファンの接続忘れをより効果的に防止することが可能な表示装置の提供を目的とする。
【課題を解決するための手段】
【０００７】
上記課題を解決するために、本発明では、筺体内部にファンを備える表示装置において、前記ファンに対して電源を供給するための電源回路と、前記電源回路と前記ファンとの間を着脱可能に接続することで前記電源回路から前記ファンとの間の導通状態を維持するコネクターと、前記ファンが前記コネクターと接続して導通状態を維持する場合に、導通状態が維持されていることを示す第一検出信号を出力する導通検出部と、前記電源回路と接続し、同電源回路から供給される電源電圧に基づいて第二検出信号を生成するとともに、前記第一検出信号が出力されている場合は、前記第二検出信号を出力しない検出信号出力部と、前記第二検出信号が入力される場合は、前記ファンが前記コネクターに接続されていないと判断することで、前記電源回路に対して電力の供給を停止させる供給制御部と、を有する構成としてある。
【０００８】
上記のように構成された発明では、筺体内部にファンを備える表示装置において、コネクターは、電源回路とファンとの間を着脱可能に接続することで電源回路からファンとの間の導通状態を維持し、導通検出部は、ファンがコネクターと接続して導通状態を維持する場合に、導通状態が維持されていることを示す第一検出信号を出力し、検出信号出力部は、電源回路と接続し、同電源回路から供給される電源電圧に基づいて第二検出信号を生成するとともに、第一検出信号が出力されている場合は、第二検出信号を出力せず、供給制御部は、第二検出信号が入力されない場合は、ファンがコネクターに接続されていると判断し、第二検出信号が入力される場合は、ファンがコネクターに接続されていないと判断することで、電源回路に対して電力の供給を停止させる。
そのため、ファンがコネクターを介して電源回路に接続されていない場合は、表示装置に対して電力が供給されないため、表示装置が駆動せず、作業者等は客観的にファンが接続されていないことを発見することができる。
【０００９】
また、前記コネクター及び前記ファンは複数存在し、前記導通検出部は、各コネクターとファンの組合せごとに存在し、前記検出信号出力部は、前記ファン毎に出力される第一検出信号を検出し、少なくとも１つの前記ファンが前記コネクターに接続されていない場合は、前記第二検出信号を出力するオア回路を有する構成としてもよい。
上記のように構成された発明では、複数のファンを備える表示装置においても、ファンの接続忘れを防止することができる。
【００１０】
そして、前記供給制御部は、前記導通検出部から出力される第一検出信号の電圧値に応じて接続されていないファンを判断する構成としてある。
上記のように構成された発明では、コネクターに接続されていないファンを特定することが可能となる。
【００１１】
更に、検出信号出力部を具体化する一例として、前記検出信号出力部は、前記電源回路とコレクターを通じて接続し、前記導通検出部とベースを通じて接続し、エミッターが接地されたトランジスターを有する構成としてもよい。
上記のように構成された発明では、トランジスターを用いた簡易な構成により検出信号出力部を構成することができる。
【００１２】
また、導通検出部を具体化する一例として、前記導通検出部は、前記コネクターのグランド端子側に接続される抵抗により構成され、前記ファンが導通を維持する場合に、同抵抗が生じさせる起電力により第一検出信号を生成する構成としてもよい。
上記のように構成された発明では、抵抗を用いた簡易な構成により導通検出部を具体化することができる。
【００１３】
そして、ファンが筺体内に収容される構成の一例として、メディアに対してデーターを録画及び再生する録画再生部と、前記録画再生部を覆うサブ筺体とを有し、前記ファンは、前記サブ筺体に収容される構成としてもよい。
上記のように構成された発明では、サブ筺体にファンが収容されることでファンが密閉されてしまう表示装置に対して、ファンの接続忘れを防止することができる。
【００１４】
更に、本発明の他の局面として、筺体内部に複数のファンを備える表示装置において、前記ファンに対して電源を供給するための電源回路と、前記電源回路と前記複数のファンとの間を着脱可能に接続することで前記電源回路から前記各ファンとの間の導通状態を維持する複数のコネクターと、前記コネクターのグランド端子側に接続される抵抗により構成され、前記ファンが前記コネクターと接続して導通状態を維持する場合に、起電力を生じさせることにより導通状態が維持されていることを示す第一検出信号を出力する導通検出部と、前記電源回路と接続し、同電源回路から供給される電源電圧に基づいて第二検出信号を生成するとともに、前記ファン毎に出力される第一検出信号を検出し、少なくとも１つの前記ファンが前記コネクターに接続されていない場合は、前記第二検出信号を出力するオア回路を備える検出信号出力部と、前記第二検出信号が入力されない場合は、前記ファンが前記コネクターに接続されていると判断し、前記電源回路に対して電力の供給を維持させ、前記第二検出信号が入力される場合は、前記ファンが前記コネクターに接続されていないと判断することで、前記電源回路に対して電力の供給を停止させる供給制御部と、メディアに対してデーターを録画及び再生する録画再生部と、前記録画再生部を覆うサブ筺体とを有し、前記ファンは、前記サブ筺体に収容されている、構成としてもよい。
【発明の効果】
【００１５】
以上説明したように本発明によれば、ファンがコネクターを介して電源回路に接続されていない場合は、表示装置に対して電力が供給されないため、作業者等は客観的にファンが接続されていないことを判断することができる。
また請求項２にかかる発明によれば、複数のファンを備える表示装置においても、ファンの接続忘れを防止することができる。
そして請求項３にかかる発明によれば、コネクターに接続されていないファンを特定することが可能となる。
さらに請求項４にかかる発明によれば、トランジスターを用いた簡易な構成により検出信号出力部を具体化することができる。
また請求項５にかかる発明によれば、抵抗を用いた簡易な構成により導通検出部を具体化することができる。
そして請求項６にかかる発明によれば、サブ筺体にファンが収容されることでファンが密閉されてしまう表示装置に対して、ファンの接続忘れを防止することができる。
さらに請求項７のような、より具体的な構成において、上述した請求項２〜請求項６の各発明と同様の作用を奏することはいうまでもない。
【図面の簡単な説明】
【００１６】
【図１】表示装置１００を説明するためのブロック構成図である。
【図２】一例としての電源回路６０の構成を説明するためのブロック構成図である。
【図３】一例としての接続忘れ防止回路５０を示す回路図である。
【図４】一例としての第一検出信号と、第二検出信号と、Ｐ＿ＯＮ信号の波形を示す波形図である。
【図５】一例としての第２の実施形態に係る接続忘れ防止回路５０を示す図である。
【発明を実施するための形態】
【００１７】
以下、図を参照しつつ下記の順序に従って本発明の実施形態を説明する。
１．第１の実施形態：
２．第２の実施形態：
３．その他の実施形態：
【００１８】
１．第１の実施形態： 
以下、図を参照して、この発明に係る表示装置を具体化した第１の実施形態について説明する。図１は、表示装置１００を説明するためのブロック構成図である。表示装置１００は、以下の部位を備えて構成されている。録画再生部９０は、ブルーレイディスク（Blue-ray Disc）等のメディアに対して録画又は再生を行うためのものである。また、表示部８０は、録画再生部９０が再生した映像信号を用いて映像を出力するためのものである。そして、ファン７０は、録画再生部９０を冷却するためのものである。更に、電源回路６０は、上記各部に電力を供給するものである。また、接続忘れ防止回路５０は、ファン７０が電源回路６０に接続されていない場合に、電源回路６０からの電力の供給を遮断する回路である。
【００１９】
更に、接続忘れ防止回路５０は、以下の部位を備えて構成されている。コネクター５１は、電源回路６０とファン７０との間を着脱可能に接続することで電源回路６０からファン７０との間の導通状態を維持する。導通検出部４０は、ファン７０がコネクター５１と接続して導通状態を維持する場合に、導通状態が維持されていることを示す第一検出信号を出力する。検出信号出力部３０は、電源回路６０と接続し、同電源回路６０から供給される電源電圧に基づいて第二検出信号を生成するとともに、第一検出信号が出力されている間は、第二検出信号を出力しない。マイクロコンピューター（供給制御部）２０は、第二検出信号が出力されている間は、ファン７０がコネクター５１に接続されていないと判断し、電源回路６０に対して電力の供給を停止させる。
【００２０】
上記構成の表示装置１００では、表示装置１００の組み立て時、又は、修理時において、ファン７０を取外した後に、このファン７０の電源回路６０への接続忘れを客観的に検出することを可能とする。即ち、ファン７０が電源回路６０に接続されていない場合、接続忘れ防止回路５０が電源回路６０から表示装置１００を構成する各部への電力供給を遮断するため、作業者等は表示装置１００が駆動しないことを認識することで、ファンの接続忘れを認識することが可能となる。このことは、ファン７０が録画再生部９０を覆うサブ筺体内部に収容されており、ファン７０が電源回路６０に接続されているか否かを外見からでは目視できない場合でも、作業者等がファン７０の接続忘れを客観的に認識することが可能となる。以下、表示装置１００を構成する各部の構成をより詳細に説明する。
【００２１】
録画再生部９０は、例えば、ブルーレイ等の光ディスクを録画及び再生する装置により構成される。また、録画再生部９０は、金属製のサブ筺体により周囲を覆われて、筺体内部に取り付けられている。更に、このサブ筺体の内部にファン７０が取り付けられている。また、録画再生部９０は、表示部８０と切替え部を介して接続されており、光ディスクを読み取ることで再生したデーターを表示部８０に送信する。
【００２２】
図２は、一例としての電源回路６０の構成を説明するためのブロック構成図である。電源回路６０は、整流回路６１と、平滑化回路６２と、スイッチングトランス６３とを備えて構成されている。また、スイッチングトランス６３は、マイクロコンピューター２０と接続された制御ＩＣ６３ａと、平滑化回路６２と接続された一次側回路６３ｂと、録画再生部９０、ファン７０、表示部８０、及び接続忘れ防止回路５０とそれぞれ接続された二次側回路６３ｃとで構成されている。ここで、制御ＩＣ６３ａは、一次側回路６３ｂによる発振を制御するための回路であり、マクロコンピューター２０からのＰ＿ＯＮ信号によりその駆動を開始させる。そのため、スイッチングトランス６３は、マイクロコンピューターからの制御に応じて、二次側で接続した録画再生部９０、ファン７０、表示部８０に対する電力の供給を変化させる。
【００２３】
図３は、一例としての接続忘れ防止回路５０を示す回路図である。図３に示す接続忘れ防止回路５０では、２つのファン７０ａ，７０ｂがそれぞれコネクター５１，５１を介して電源回路６０に接続され、電力の供給を受けている。以下、図３に示す接続忘れ防止回路５０を構成する各部の構成を説明する。
【００２４】
ファン７０ａ，７０ｂは、フィンを回転させるファン本体と、このファン本体から引き出されて電力を供給するための配線と、この配線の先端に接続されたコネクター５１の一方を構成する端子５１ａとを備えて構成されている。なお、端子５１ａは、コネクター５１の他方を構成する端子５１ｂと嵌合可能な構成である。
【００２５】
コネクター５１は、ファン７０に接続された端子５１ａと、この端子５１ａと嵌合する端子５１ｂとで構成される。端子５１ｂは、＋側端子がスイッチングトランスの二次側回路６３ｃに接続され、グランド端子が検出信号出力部３０に接続されている。また、コネクター５１は、端子５１ａと５１ｂを嵌合させることで、ファン７０と電源回路６０との間で直列回路を構成し、ファン７０に対してスイッチングトランス６３の二次側回路６３ｃに発生する電力を供給する。
【００２６】
導通検出部４０は、端子５１ｂのグランド側端子で並列接続した抵抗４１により構成されている。そのため、端子５１ｂが端子５１ａと嵌合によってファン７０と電源回路６０との間の導通状態を維持することで、抵抗４１は起電力を発生させ、所定の電圧からなる第一検出信号を出力する。
【００２７】
検出信号出力部３０は、トランジスター３１（３１ａ，３１ｂ）と、オア回路３２とを備えて構成されており、トランジスター３１は、第一検出信号を検出することで、オア回路３２に入力される第二検出信号をマイクロコンピューター２０に出力するか否かを切換える。より具体的には、トランジスター３１のベース：Ｂがコネクター５１の端子５１ｂのグランド端子側で抵抗を介して接続し、コレクター：Ｃがオア回路３２と接続し、エミッター：Ｅがグランド：Ｇに接地されている。
【００２８】
オア回路３２は、分圧抵抗３２ａと、この分圧抵抗３２ａの出力側でそれぞれ接続するダイオード３２ｂ，３２ｃとで構成されている。そして、分圧抵抗３２ａの入力側は、スイッチングトランス６３の二次側回路６３ｃと接続し、出力側は各ダイオード３２ｂ，３２ｃのアノードと接続している。更に、各ダイオード３２ｂ，３２ｃのカソード、及びマイクロコンピューター２０の入力ポート２０ａは、並列接続されている。
【００２９】
マイクロコンピューター２０は、検出信号出力部３０から入力された第二検出信号に応じて、ファン７０ａ又はファン７０ｂの接続状態を判断する。具体的には、マイクロコンピューター２０は、入力ポート２０ａに第二検出信号が入力した場合は、ファン７０ａ又はファン７０ｂのいずれかが接続されていないと判断する。一方、マイクロコンピューター２０は、入力ポート２０ａに第二検出信号が入力されない場合は、ファン７０ａ又はファン７０ｂの両方がコネクター５１を介して電源回路６０に接続されていると判断する。  
【００３０】
更に、マイクロコンピューター２０の出力ポート２０ｂは、スイッチングトランス６３の発振を制御する制御ＩＣ６３ａと接続している。そのため、マイクロコンピューター２０は、入力ポート２０ａに第二検出信号が入力された場合は、制御ＩＣ６３ａに出力しているＰ＿ＯＮ信号をローレベルに切換える。ここで、Ｐ＿ＯＮ信号は、制御ＩＣ６３ａに対してスイッチングトランスを駆動させるための信号であり、Ｐ＿ＯＮ信号をローレベルに切換えることで、スイッチングトランス６３の駆動が停止する。
【００３１】
以下に、接続忘れ防止回路５０の機能を説明する。図４は、一例としての第一検出信号と、第二検出信号と、Ｐ＿ＯＮ信号の波形を示す波形図である。
ファン７０ａがコネクター５１を介して電源回路６０に接続されている場合は、導通検出部４０が第一検出信号の出力（ハイレベル）を維持する。そのため、この第一検出信号によりトランジスター３１ａをオンし、オア回路３２で分圧されて生成された第二検出信号は、トランジスター３１ａのエミッター：Ｅに接続されたグランド：Ｇに引き込まれる。そのため、マイクロコンピューター２０の入力ポート２０ａには、第二検出信号は出力されず、マイクロコンピューター２０はＰ＿ＯＮ信号をハイレベルに維持する。
【００３２】
一方、ファン７０ａがコネクター５１を介して電源回路６０に接続されていない場合は、導通検出部４０が第一検出信号を出力しない。そのため、トランジスター３１ａがオフし、オア回路３２で分圧されて生成された第二検出信号はダイオード３２ｂを介してマイクロコンピューター２０の入力ポート２０ａに出力される。そのため、マイクロコンピューター２０の入力ポート２０ａには、第二検出信号が入力され、マイクロコンピューター２０は制御ＩＣ６３ａに出力するＰ＿ＯＮ信号をローレベルに変化させる。そのため、スイッチングトランス６３は駆動を停止し、二次側から各部へ電力が供給されない。
【００３３】
同様に、ファン７０ｂが接続コネクター５１に接続されていない場合もトランジスター３１ｂがオフし、オア回路３２の分圧によって生成された第二検出信号は、ダイオード３２ｃを介してマイクロコンピューター２０の入力ポート２０ａに出力される。そのため、少なくともいずれかのファン７０がコネクター５１を介して電源回路６０に接続されていない場合は、第二検出信号は、マイクロコンピューター２０の入力ポート２０ａに出力される。
【００３４】
そのため、何れかのファン７０ａ，７０ｂがコネクター５１に接続していない場合は、表示装置１００に電力が供給されず、表示装置１００が駆動することはない。その結果、作業者等は、表示装置１００が駆動しないことを認識することで、ファン７０が取り付けられていないことを判断することができる。
【００３５】
２．第２の実施形態：
第１の実施形態では、複数のファンのいずれかが接続されていない場合に、電源回路６０からの電力供給を停止する構成としたが、コネクター５１に接続されていないファン７０をマイクロコンピューター２０で特定できる構成としてもよい。ここで、電源回路６０に接続されていないファン７０を特定できる構成とすれば、作業者等がファン７０の接続忘れを発見した後、どのファン７０が接続されていないかを容易に確認することができる。
【００３６】
図５は、一例としての第２の実施形態に係る接続忘れ防止回路５０を示す図である。この図５では、第１の実施形態に示す接続忘れ防止回路５０に加えて、マイクロコンピューター２０は、入力ポート２０ｃ，２０ｄにより検出信号出力部３０と接続されており、トランジスター３１ａ，３１ｂのベースに印加される電圧を認識信号として検出することで、各ファン７０の接続状態を検出する。
【００３７】
具体的には、マイクロコンピューター２０の入力ポート２０ｃは、導通検出部４０とトランジスター３１ａ，３１ｂのベース：Ｂとの間に接続されている。そのため、導通検出部４０から第一検出信号が出力される場合は、マイクロコンピューター２０の入力ポート２０ｃ，２０ｄにはベースに印加される電圧に基づく識別信号が入力され、対応するファン７０が接続されていることを検出する。一方、いずれかのファン７０が電源回路に接続されていない場合は、マイクロコンピューター２０における各ファンに対応して接続された入力ポート２０ｃ、２０ｄには識別信号が入力されないため、どのファン７０が電源回路に接続されていないかを判断することができる。なお、マイクロコンピューター２０が各ファン７０の接続の有無をメモリー記録しておけば、作業者等はこのメモリーに記憶された情報を利用して、各ファンの接続の有無を判断することができる。
【００３８】
３．その他の実施形態：
本発明は、様々な変形例が存在する。
例えば、マイクロコンピューター２０は、各導通検出部４０と接続され、各導通検出部４０が発生させる第一検出信号の電圧値に応じて、各ファン７０の接続状態を検出してもよい。この場合、各導通検出部４０を構成する抵抗の値を異ならせることにより、導通検出部４０が発生させる第一検出信号の電圧値を異ならせる。そのため、マイクロコンピューター２０は、この第一検出信号の電圧値をアナログ・デジタル変換回路により変換して、いずれのファン７０に相当する第一検出信号であるかを判断することができる。
【００３９】
また、接続忘れ防止回路５０は、アナログ阻止により構成される以外にも、本発明に示す各構成を備えるＩＣ等により実現されてもよい。
【００４０】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００４１】
２０…マイクロコンピューター、３０…検出信号出力部、３１…トランジスター、３２…オア回路、３２ａ…分圧抵抗、３２ｂ…ダイオード、３２ｃ…ダイオード、４０…導通検出部、４１…抵抗、５０…接続忘れ防止回路、５１…コネクター、５１ａ…端子、５１ｂ…端子、６０…電源回路、６１…整流回路、６２…平滑化回路、６３…スイッチングトランス、６３ａ…制御ＩＣ、６３ｂ…一次側電源回路、６３ｃ…二次側電源回路、７０…ファン、８０…表示部、９０…録画再生部、１００…表示装置
【図１】
2010267311.tif 000003
【図２】
2010267311.tif 000004
【図３】
2010267311.tif 000005
【図４】
2010267311.tif 000006
【図５】
2010267311.tif 000007